(57)【要約】      （修正有）【課題】無駄な開閉が無く、セキュリティ性の高い駐車場などのゲートや電気錠扉の起動のシステムを提供する。【解決手段】リモコン３には、赤外線と電波の両方の起動信号を送信でき、赤外線と電波の両方を送信、電波のみ送信、赤外線のみ送信、の３つを選択できる機能を備え、受信機２には、電波のコードが登録できる機能と、赤外線と電波の両方を受信時に起動信号を出力、電波のみ受信時でも起動信号を出力、赤外線のみ受信時でも起動信号を出力、の３つを選択できる機能を備えている。リモコン３は、赤外線４と電波５の両方を送信、を選択し、受信機２は、赤外線４と電波５の両方を受信時に起動信号を出力、を選択する。受信機２にリモコン３の電波５のコードを登録し、赤外線４と電波５の両方を受信時に自動シャッター１起動用の起動信号を出力し、自動シャッターの開閉を行い、無駄な開閉が無く、セキュリティ性の高いシステムとして運用することができる。【選択図】図１
0003170012.tif 000002
【実用新案登録請求の範囲】
【請求項１】
自動ドアや自動シャッターや駐車場などのゲート起動のシステムや、集合住宅の玄関の電気錠の解錠のシステムであって、前記システムはリモコンと受信機を使用し、リモコンには、赤外線と電波の両方の信号を送信でき、赤外線と電波の両方を送信、電波のみ送信、赤外線のみ送信、の３つを選択できる機能を備えたこと、受信機には、電波のコードが登録できる機能と、赤外線と電波の両方を受信時に信号を出力、電波のみ受信時でも信号を出力、赤外線のみ受信時でも信号を出力、の３つを選択できる機能を備えたことを特徴とするシステム。
【考案の詳細な説明】
【技術分野】
【０００１】
本考案は、自動ドアや自動シャッターや駐車場などのゲート起動のシステムや、集合住宅の玄関の電気錠の解錠のシステムに関するものである。
【背景技術】
【０００２】
自動ドアや自動シャッターや駐車場などのゲート起動のシステムや、集合住宅の玄関の電気錠の解錠のシステムでは、赤外線によるリモコンや、電波によるリモコンを使用し、起動させる物がある。
【考案の概要】
【考案が解決しようとする課題】
【０００３】
赤外線によるリモコンを用いたシステムの場合、コードを登録するタイプ等もあるが、学習リモコンにコードを登録することが出来てしまい、セキュリティが低下してしまう問題があった。
【０００４】
電波によるリモコンを用いたシステムの場合、電波到達距離が長く、工場や店舗など自動シャッターや自動ドアが横１列に複数設置された箇所では、リモコンを操作すると一斉に開き始めることがあり、電波到達距離を短くするため、受信機のアンテナを短くすること等で、受信感度を下げているが、電波の特性上一律に下げることが出来ず、下げすぎると受信しないこともあり、問題であった。また多チャンネルのシステムでも、１１チャンネル程度しかなく、大きな現場では対応しきれなかった。
【課題を解決するための手段】
【０００５】
リモコンには、赤外線と電波の両方の信号を送信でき、赤外線と電波の両方を送信、電波のみ送信、赤外線のみ送信、の３つを選択できる機能を備え、受信機には、電波のコードが登録できる機能と、赤外線と電波の両方を受信時に信号を出力、電波のみ受信時でも信号を出力、赤外線のみ受信時でも信号を出力、の３つを選択できる機能を備えたシステムとする。
【考案の効果】
【０００６】
赤外線と電波のハイブリッド（ＡＮＤ）動作にすることで、リモコンに指向性を持たすことができ、入ろうとしている自動ドアやシャッターのみが動作し、他の箇所は開閉しなくなる。また、電波のコードを登録することにより、赤外線のコードを学習リモコンで登録されて使用されても開くことは無く、登録されたリモコンを持っている人しか入ることができないため、セキュリティ性が保たれる。
【０００７】
さらに、本来入るべき出入り口のみの開閉が確実にでき、無駄な開閉を減らすことで省エネ対策にもなる。
【図面の簡単な説明】
【０００８】
【図１】本考案のシステムの構成を示した概要図である。
【考案を実施するための最良の形態】
【０００９】
図１は、本考案のシステムの構成を示した概要図である。１は自動シャッター、２は自動シャッター１の起動用受信機、３はリモコン、４は赤外線、５は電波である。
【００１０】
リモコン３には、赤外線と電波の両方の信号を送信でき、赤外線と電波の両方を送信、電波のみ送信、赤外線のみ送信、の３つを選択できる機能を備え、受信機２には、電波のコードが登録できる機能と、赤外線と電波の両方を受信時に信号を出力、電波のみ受信時でも信号を出力、赤外線のみ受信時でも信号を出力、の３つを選択できる機能を備えている。
【００１１】
リモコン３は、赤外線４と電波５の両方を送信、を選択し、受信機２は、赤外線４と電波５の両方を受信時に信号を出力、を選択する。受信機２にリモコン３の電波５のコードを登録し、赤外線４と電波５の両方を受信時に自動シャッター１起動用の信号を出力し、自動シャッターの開閉を行い、無駄な開閉が無く、セキュリティ性の高いシステムとして運用することができる。
【００１２】
また、リモコン３は、電波のみ送信、赤外線のみ送信、を選択し、受信機２は、電波のみ受信時でも信号を出力、赤外線のみ受信時でも信号を出力、を選択して、簡易に使用することもできる。
【００１３】
図１は、自動シャッターの場合であるが、本考案は、自動ドアや駐車場などのゲート起動のシステムや、集合住宅の玄関の電気錠の解錠のシステムにも使用可能である。
【符号の説明】
【００１４】
１・・・自動シャッター
２・・・受信機
３・・・リモコン
４・・・赤外線
５・・・電波
【図１】
0003170012.tif 000003
【手続補正書】
【提出日】平成23年6月28日(2011.6.28)
【手続補正１】
【補正対象書類名】明細書
【補正対象項目名】全文
【補正方法】変更
【補正の内容】
【考案の詳細な説明】
【技術分野】
【０００１】本考案は、自動ドアや自動シャッターや駐車場などのゲートや電気錠扉の起動システムに関するものである。
【背景技術】
【０００２】自動ドアや自動シャッターや駐車場などのゲートや電気錠扉の起動システムでは、赤外線によるリモコンや、電波によるリモコンを使用し、起動させる物がある。
【考案の概要】
【考案が解決しようとする課題】
【０００３】赤外線によるリモコンを用いたシステムの場合、コードを登録するタイプ等もあるが、学習リモコンにコードを登録することが出来てしまい、セキュリティが低下してしまう問題があった。【０００４】電波によるリモコンを用いたシステムの場合、電波到達距離が長く、工場や店舗など自動シャッターや自動ドアが横１列に複数設置された箇所では、リモコンを操作すると一斉に開き始めることがあり、電波到達距離を短くするため、受信機のアンテナを短くすること等で、受信感度を下げているが、電波の特性上一律に下げることが出来ず、下げすぎると受信しないこともあり、問題であった。また多チャンネルのシステムでも、１１チャンネル程度しかなく、大きな現場では対応しきれなかった。
【課題を解決するための手段】
【０００５】リモコンには、赤外線と電波の両方の起動信号を送信でき、赤外線と電波の両方を送信、電波のみ送信、赤外線のみ送信、の３つを選択できる機能を備え、受信機には、電波のコードが登録できる機能と、赤外線と電波の両方を受信時に起動信号を出力、電波のみ受信時でも起動信号を出力、赤外線のみ受信時でも起動信号を出力、の３つを選択できる機能を備えたシステムとする。
【考案の効果】
【０００６】赤外線と電波のハイブリッド（ＡＮＤ）動作にすることで、リモコンに指向性を持たすことができ、入ろうとしている自動ドアやシャッターのみが動作し、他の箇所は開閉しなくなる。また、電波のコードを登録することにより、赤外線のコードを学習リモコンで登録されて使用されても開くことは無く、登録されたリモコンを持っている人しか入ることができないため、セキュリティ性が保たれる。【０００７】さらに、本来入るべき出入り口のみの開閉が確実にでき、無駄な開閉を減らすことで省エネ対策にもなる。
【図面の簡単な説明】
【０００８】
【図１】本考案のシステムの構成を示した概要図である。
【考案を実施するための最良の形態】
【０００９】図１は、本考案のシステムの構成を示した概要図である。１は自動シャッター、２は自動シャッター１の起動用受信機、３はリモコン、４は赤外線、５は電波である。【００１０】リモコン３には、赤外線と電波の両方の起動信号を送信でき、赤外線と電波の両方を送信、電波のみ送信、赤外線のみ送信、の３つを選択できる機能を備え、受信機２には、電波のコードが登録できる機能と、赤外線と電波の両方を受信時に起動信号を出力、電波のみ受信時でも起動信号を出力、赤外線のみ受信時でも起動信号を出力、の３つを選択できる機能を備えている。【００１１】リモコン３は、赤外線４と電波５の両方を送信、を選択し、受信機２は、赤外線４と電波５の両方を受信時に起動信号を出力、を選択する。受信機２にリモコン３の電波５のコードを登録し、赤外線４と電波５の両方を受信時に自動シャッター１起動用の起動信号を出力し、自動シャッターの開閉を行い、無駄な開閉が無く、セキュリティ性の高いシステムとして運用することができる。【００１２】また、リモコン３は、電波のみ送信、赤外線のみ送信、を選択し、受信機２は、電波のみ受信時でも起動信号を出力、赤外線のみ受信時でも起動信号を出力、を選択して、簡易に使用することもできる。【００１３】図１は、自動シャッターの場合であるが、本考案は、自動ドアや駐車場などのゲートや電気錠扉の起動システムにも使用可能である。
【符号の説明】
【００１４】１・・・自動シャッター２・・・受信機３・・・リモコン４・・・赤外線５・・・電波
【手続補正２】
【補正対象書類名】実用新案登録請求の範囲
【補正対象項目名】全文
【補正方法】変更
【補正の内容】
【実用新案登録請求の範囲】
【請求項１】
自動ドアや自動シャッターや駐車場などのゲートや電気錠扉の起動システムであって、前記システムはリモコンと受信機を使用し、リモコンには、赤外線と電波の両方の起動信号を送信でき、赤外線と電波の両方を送信、電波のみ送信、赤外線のみ送信、の３つを選択できる機能を備えたこと、受信機には、電波のコードが登録できる機能と、赤外線と電波の両方を受信時に起動信号を出力、電波のみ受信時でも起動信号を出力、赤外線のみ受信時でも起動信号を出力、の３つを選択できる機能を備えたことを特徴とするシステム。